(57)【要約】【課題】携帯型の再生機器の操作性が悪化することを回避する。【解決手段】再生機器制御装置に再生機器が接続されると、再生機器制御装置から再生機器に電力の供給を開始するとともに、携帯した状態で用いるために再生機器に搭載されている機能の作動を停止させる。こうして、再生機器制御装置から電力を供給してやれば、再生機器は供給された電力によって動作することができるので、携帯した状態で用いるために搭載されている機能は、もはや不要であり、場合によっては、これら機能が邪魔になって、再生機器の操作性が悪化する場合も生じる。そこで、再生機器制御装置からの操作によって、これら機能の作動を停止させることで、再生機器の操作性が悪化することを回避することが可能となる。【選択図】図１
2008204501.tif 000002
【特許請求の範囲】
【請求項１】
音声または映像を再生する機能を搭載するとともに携帯した状態で用いられる再生機器の動作を制御する再生機器制御装置であって、
前記再生機器に電力を供給する電力供給手段と、
前記電力供給手段によって電力の供給が開始されると、前記再生機器を携帯した状態で用いるために該再生機器に搭載されている機能の作動を停止させる機能停止手段と
を備える再生機器制御装置。
【請求項２】
請求項１に記載の再生機器制御装置であって、
前記音声または映像を再生するための再生データを前記再生機器から受け取って、該再生データを、所定周波数の搬送波に載せて電波として出力する電波出力手段を備える再生機器制御装置。
【請求項３】
請求項１に記載の再生機器制御装置であって、
前記音声または映像を再生するための再生データを前記再生機器から受け取って、該再生データに基づいて音声または映像を再生する再生手段を備える再生機器制御装置。
【請求項４】
請求項１ないし請求項３の何れかに記載の再生機器制御装置であって、
前記再生機器は、文字、図形、または映像の少なくとも１つを表示する表示画面、または、音声または映像を再生するために操作される操作部の少なくとも一方を備えるとともに、所定の条件が成立すると、該表示画面または該操作部の少なくとも一方の照明を減光あるいは消灯する機能を搭載した機器であり、
前記機能停止手段は、前記表示画面または前記操作部の照明を減光あるいは消灯する機能の作動を停止させる手段である再生機器制御装置。
【請求項５】
請求項４に記載の再生機器制御装置であって、
前記再生機器は、前記表示画面または前記操作部の点灯命令信号を受け取ってから所定時間が経過すると、該表示画面または該操作部の少なくとも一方の照明を減光あるいは消灯する機能を搭載した機器であり、
前記機能停止手段は、前記所定時間以下の間隔で前記点灯命令信号を前記再生機器に送信する手段である再生機器制御装置。
【請求項６】
請求項４に記載の再生機器制御装置であって、
前記電力供給手段によって電力の供給が開始されると、前記再生機器に対して、音声または映像の再生開始を指示する再生開始信号を出力する再生開始信号出力手段を備える再生機器制御装置。
【請求項７】
請求項４に記載の再生機器制御装置であって、
前記機能停止手段は、少なくとも音声または映像の再生中は、前記表示画面または前記操作部の照明を減光あるいは消灯する機能の作動を停止させる手段である再生機器制御装置。
【発明の詳細な説明】
【技術分野】
【０００１】
本発明は、音声または映像を再生する機能を搭載し、携帯した状態で用いられる再生機器の動作を制御する技術に関する。
【背景技術】
【０００２】
携帯可能な小型の音楽再生機器（例えば、携帯型のＣＤプレーヤや、ＭＤプレーヤ、ＭＰ３プレーヤなど）は、今日では広く普及している。更には、動画の映像を再生可能な再生機器も開発されて市販されている。これら携帯型の再生機器のユーザーは、気に入った音楽（あるいは映像）のデータを再生機器に蓄えておき、これを携帯することで、時や場所の制約を受けずに音楽（あるいは映像）を楽しむことが可能となっている。通常、これら携帯型の再生機器は、内蔵バッテリによって稼働される関係上、所定時間が経過すると表示ランプを消灯するなど、バッテリの消耗を避けるために種々の工夫が行われている（例えば、特許文献１、特許文献２など）。
【０００３】
また、これら携帯型の再生機器が出力する音声データを、トランスミッタと呼ばれる専用の機器に入力して電波に載せて出力することで、カーステレオ（あるいはラジオ）などを用いて鑑賞可能とすることも広く行われている。こうすれば、気に入って蓄積しておいた多数の音楽を、車の中でも鑑賞することができる。もちろん、テレビチューナとモニタとを車内に搭載しておけば、再生機器に蓄えた映像データを電波に載せて出力することで、車の中で映像を鑑賞することも可能である。
【０００４】
更には、電波を出力するトランスミッタのアンテナは室内に設けられることから、外部からの電波を受信する車載アンテナに加えて、室内にも受信用のアンテナを設けることで、受信状態を改善しようとした技術も提案されている（特許文献３）。
【０００５】
【特許文献１】特開２００１−１６７５０１号公報
【特許文献２】特開２００６−３５１１３３号公報
【特許文献３】特開２００６−２１７５８１号公報
【発明の開示】
【発明が解決しようとする課題】
【０００６】
しかし、これら小型の再生機器は、本来は携帯することを目的として開発されているため、カーステレオなどを用いて車内で音楽（あるいは映像）を鑑賞する場合には、携帯して用いられることを前提として搭載された機能が邪魔になり、操作性が悪化する場合があるという問題があった。
【０００７】
また、こうした問題は、必ずしもカーステレオなどを用いて車内で音楽（あるいは映像）を鑑賞する場合に限られず、例えば、携帯型の再生機器に蓄えた音楽（あるいは映像）のデータを、据え置き型のステレオ（あるいはモニタ）などに供給して再生する場合などのように、携帯を前提としない再生機器に音声データ（あるいは映像データ）を供給する機器として、携帯型の再生機器を使用する場合にも同様な問題が生じ得る。
【０００８】
この発明は、従来の技術が有する上述した課題に対応してなされたものであり、携帯型の再生機器を、携帯を前提としない他の再生機器に音声データ（あるいは映像データ）を供給する機器として使用する場合に、操作性が悪化することを回避可能な技術の提供を目的とする。
【課題を解決するための手段】
【０００９】
上述した課題の少なくとも一部を解決するために、本発明の再生機器制御装置は次の構成を採用した。すなわち、
音声または映像を再生する機能を搭載するとともに携帯した状態で用いられる再生機器の動作を制御する再生機器制御装置であって、
前記再生機器に電力を供給する電力供給手段と、
前記電力供給手段によって電力の供給が開始されると、前記再生機器を携帯した状態で用いるために該再生機器に搭載されている機能の作動を停止させる機能停止手段と
を備えることを要旨とする。
【００１０】
かかる本発明の再生機器制御装置においては、再生機器が接続されると電力の供給を開始するとともに、該再生機器を携帯した状態で用いるために搭載されている機能の作動を停止させる。ここで、再生機器を携帯した状態で用いるために搭載されている機能とは、例えば、再生機器の表示部や、操作ボタンなどの照明を、一定時間が経過すると自動的に減光あるいは消灯させる機能や、一定時間が経過すると自動的に再生機器を休止状態としたり、電源を切断したり、音量を小さくする機能など、再生機器が携帯した状態で用いられることを想定して搭載されている種々の機能が含まれる。
【００１１】
再生機器制御装置から再生機器に電力を供給してやれば、再生機器は供給された電力によって動作することができるので、携帯した状態で用いるために搭載されている機能は、もはや不要であり、場合によっては、これら機能が邪魔になって、再生機器の操作性が悪化する場合も生じ得る。そこで、再生機器制御装置からの操作によって、これら機能の作動を停止させれば、再生機器の操作性が悪化することを回避することが可能となる。
【００１２】
また、かかる本発明の再生機器制御装置においては、音声または映像を再生するための再生データを再生機器から受け取り、受け取った再生データを、所定周波数の搬送波に載せて電波として出力することとしてもよい。
【００１３】
こうして再生データを電波に載せて出力すれば、いわゆるチューナを用いて、電波の中から再生データを取り出して、得られた再生データを各種の再生機器に供給して再生することができる。携帯した状態で用いられる再生機器では、音声または映像を再生するにしても、機器の大きさや駆動電力など種々の制約を受けるのに対して、こうした制約を受けない再生機器で再生してやれば、音声であれば十分な音量や音質、映像であれば十分な大きさや画質で再生することが可能となる。
【００１４】
あるいは、本発明の再生機器制御装置が、再生機器から再生データを受け取って、音声または映像を再生することとしてもよい。
【００１５】
再生機器制御装置は、再生機器に比べて、機器の大きさや駆動電力など種々の制約を受けないので、再生機器で再生するよりも、音声であれば十分な音量や音質、映像であれば十分な大きさや画質で再生することが可能である。
【００１６】
また、上述した本発明の再生機器制御装置では、再生機器に搭載されている次のような機能の作動を停止させることとしても良い。すなわち、表示画面または操作部の少なくとも一方と、所定の条件が成立すると表示画面または操作部の少なくとも一方の照明を減光あるいは消灯する機能とが、再生機器に搭載されている場合には、再生機器制御装置から電力の供給を開始すると、この機能の作動を停止させることとしても良い。ここで、再生機器に搭載された表示画面とは、文字、図形、または映像の少なくとも１つを表示する画面であり、操作部とは、再生機器で音声または映像を再生するために操作される部分である。
【００１７】
多くの再生機器には、表示画面または操作部の少なくとも一方、所定の条件が成立すると、表示画面または操作部の少なくとも一方の照明を減光あるいは消灯する機能が搭載されており、表示画面または操作部の照明が減光あるいは消灯されると、再生機器の操作性が悪化する。従って、再生機器制御装置から電力の供給を開始した後、これら機能の作動を停止させれば、再生機器の操作性が悪化することを回避することが可能となる。
【００１８】
また、再生機器が、点灯命令信号を受け取ると表示画面または操作部を点灯させ、そして点灯命令信号を受け取ってから所定時間が経過すると、表示画面または操作部の少なくとも一方の照明を減光あるいは消灯する機能を搭載した再生機器である場合には、再生機器制御装置から再生機器に対して、所定時間以下の間隔で点灯命令信号を送信することとしてもよい。
【００１９】
携帯した状態で用いられる再生機器には、表示画面または操作部の照明が点灯してから所定時間が経過すると、これらの少なくとも一方を減光あるいは消灯する機能が搭載されていることが多い。このような再生機器に対しては、再生機器制御装置から、所定時間以下の間隔で点灯命令信号を出力することで、表示画面または操作部の少なくとも一方の照明を減光あるいは消灯する機能の作動を停止させることができる。その結果、再生機器の操作性が悪化することを回避することが可能となる。
【００２０】
また、こうした本発明の再生機器制御装置においては、電力の供給を開始すると、再生機器に対して、音声または映像の再生開始を指示する再生開始信号を出力するようにしてもよい。
【００２１】
携帯した状態で用いられる再生機器は、機器の大きさが制限されるため、どうしても操作性が犠牲になる傾向があるが、こうすれば、再生機器制御装置から電力の供給を開始した後、自動的に、音声または映像の再生を開始することができるので、再生機器の操作性を補うことが可能となる。
【００２２】
また、本発明の再生機器制御装置においては、少なくとも音声または映像の再生中は、再生機器に搭載されている表示画面または操作部の照明を、減光あるいは消灯する機能の作動を停止させることとしてもよい。
【００２３】
こうすれば、再生中の音声または映像の名前を表示画面で確認したり、あるいは、再生の早送りや、巻き戻し、一時停止や、再生終了などの操作を、容易に行うことが可能となる。
【発明を実施するための最良の形態】
【００２４】
以下では、上述した本願発明の内容を明確にするために、次のような順序に従って実施例を説明する。
Ａ．実施例の概要：
Ｂ．装置構成：
Ｃ．再生機器制御処理：
Ｄ．変形例：
Ｄ−１．第１の変形例：
Ｄ−２．第２の変形例：
Ｄ−３．第２の変形例：
Ｄ−４．第２の変形例：
【００２５】
Ａ．実施例の概要：
本発明の再生機器制御装置には、変形例を含めて種々の実施例が存在しているが、理解の便宜を図るために、これら実施例に共通する概要について、初めに簡単に説明しておく。図１は、本実施例の再生機器制御装置１００の概要を示した説明図である。図示されているように、本実施例の再生機器制御装置１００には、再生機器１０に電力を供給する電力供給部１１０と、制御部１２０とが設けられている。電力供給部１１０は、商用電源やバッテリなどの外部電源から電力の供給を受けて、再生機器１０に電力を供給する機能を有している。このとき、外部電源から受け取った電力が再生機器１０の規格に適合していない場合には、適合する規格に変換した後、再生機器１０に電力を供給する。
【００２６】
ここで、再生機器１０は、液晶の表示画面１２や、操作ボタン１４、操作パネル１６などを備えており、操作ボタン１４や操作パネル１６を操作することによって、内部に記憶されている音声データを再生することが可能である。再生機器１０は小型で、しかもバッテリが内蔵されて携帯可能に構成されており、再生機器１０を携帯することで、時や場所を選ばず、何時でも何処でも音声を再生することが可能となる。また、動画あるいは静止画の映像データを記憶しておき、表示画面１２上で映像を再生することも可能となっている。
【００２７】
再生機器１０は、携帯した状態で使用されることを想定して開発されていることから、内蔵バッテリの消耗を抑制するために種々の機能が搭載されている。例えば、操作ボタン１４や操作パネル１６の操作後、一定時間が経過すると、操作ボタン１４や操作パネル１６を照らしているバックライトを、減光あるいは消灯させる機能が搭載されている。更に、再生しているデータが音声データのみであった場合は、表示画面１２のバックライトも減光あるいは消灯させる機能が搭載されている。また、操作ボタン１４や操作パネル１６が操作されておらず、しかも音声や動画も再生していない状態が所定時間継続した場合には、再生機器１０の動作状態を内蔵のメモリに一旦記憶し、記憶した内容が消えないようにメモリに最小限の電力を供給するとともに、操作ボタン１４や操作パネル１６などの外部からの入力は受け付け可能であるが、その他の動作は休止状態とする機能（いわゆるサスペンド機能）も搭載されている。更には、休止状態で所定時間以上が経過すると、自動的に電源をオフにしてしまう機能なども搭載されている。尚、再生機器１０に、ハードディスクなどの不揮発性の記憶媒体が搭載されている場合には、電源オフの前に、メモリに一旦記憶しておいた動作状態を、不揮発性の記憶媒体に記憶しておくことも可能である。また、本明細書では、再生機器１０が携帯した状態で用いられることを前提として搭載されているこれらの機能を、「携帯用機能」と呼ぶことがあるものとする。
【００２８】
再生機器１０には、予め専用の端子が設けられており、再生機器制御装置１００の電力供給部１１０は、かかる端子から電力を供給する。すると再生機器１０は、端子から供給された電力を用いて動作するとともに、内蔵バッテリを充電するようになっている。
【００２９】
図１に示されているように、再生機器制御装置１００には、電力供給部１１０の他に、制御部１２０も搭載されている。この制御部１２０は、電力供給部１１０によって電力の供給が開始された後、再生機器１０に機能停止信号を出力する機能を有している。ここで機能停止信号とは、再生機器１０が内蔵バッテリによって動作し、携帯した状態で用いられることを前提として、内蔵バッテリの消耗を抑制するために搭載された上述の各種機能（携帯用機能）の作動を停止させる信号である。再生機器１０には機能停止信号を入力するための専用の端子が設けられており、制御部１２０は、電力供給部１１０から電力の供給が開始されると、この端子に向かって機能停止信号を出力する。
【００３０】
ここで、制御部１２０を動作させるための電力は、電力供給部１１０から供給しても良いし、専用の電源あるいはバッテリから供給しても良い。前述したように電力供給部１１０は、外部電源から電力の供給を受けて再生機器１０に電力を供給しているから、電力供給部１１０から制御部１２０にも電力を供給するようにしておけば、制御部１２０は自らに電力が供給されたことに基づいて直ちに、再生機器１０にも電力の供給が開始されたものと判断し、機能停止信号を出力することができる。これに対して、制御部１２０の動作電力を専用の電源あるいはバッテリから供給した場合は、制御部１２０が電力供給部１１０の動作を監視しておき、再生機器１０への電力の供給が開始されたら、機能停止信号を出力するようにすればよい。
【００３１】
このように、本実施例の再生機器制御装置１００に接続された再生機器１０は、電力供給部１１０から供給される電力を用いて動作することができるから、再生機器１０の内蔵バッテリの消耗する虞はない。このような状況では、表示画面１２や、操作ボタン１４、操作パネル１６のバックライトも減光あるいは消灯すると、表示が見にくくなって再生機器１０の操作性が悪化する。また、再生機器１０が勝手に休止状態になっていると再生開始までに時間を要し、更には、勝手に電源がオフにされていると、再び電源を入れる段階からやり直さなければならなくなるので、再生開始までに時間がかかって操作性が悪化する。
【００３２】
そこで、本実施例の再生機器制御装置１００では、電力供給部１１０から再生機器１０に電力の供給が開始されると、制御部１２０から機能停止信号を出力することで、再生機器１０を携帯して用いるために搭載されている各種の携帯用機能の作動を停止させる。その結果、表示画面１２や、操作ボタン１４、操作パネル１６などのバックライトが勝手に減光あるいは消灯したり、更には、休止状態や電源オフ状態になって、再生機器１０の操作性が悪化することを回避することが可能となる。もちろん、再生機器１０は、電力供給部１１０から供給される電力を用いて動作することから、内蔵バッテリが消耗することはない。
【００３３】
また、本実施例の再生機器制御装置１００に再生データ出力部１３０を搭載しておくことにより、音声または映像を再生するための再生データを再生機器１０から受け取って、音声または映像を再生することも可能となる。例えば、受け取った再生データを、アンプなどを介してスピーカやモニタに出力する。あるいは、再生データを搬送波に載せて、アンテナから電波として出力し、この電波をチューナで受信して、スピーカやモニタで再生しても良い。こうすれば、再生機器１０で再生する場合に比べて消費電力の制約を受けずに音声または映像を再生することが出来るので、音声であればより高音質、大音量で再生することができ、映像であればより高画質、大画面で再生することが可能となる。以下では、このような本実施例の再生機器制御装置１００について、詳しく説明する。
【００３４】
Ｂ．装置構成：
図２は、本実施例の再生機器制御装置１００の構造を示した断面図である。図示した再生機器制御装置１００は、樹脂製の枠体１０２の内部に各種の電子部品が搭載されており、一端にはプラス端子１１４とマイナス端子１１６とが設けられ、上面側には、スイッチ１２６と、コネクタ１２４とが設けられている。そして、端子が設けられた部分を、車のシガーライタソケット２０に差し込むとともに、コネクタ１２４と再生機器１０とを専用ケーブルで接続して用いるようになっている。
【００３５】
枠体１０２の内部に設けられた基板１４０上には、各種の電子部品が搭載されているが、これらの機能に着目すると、大きくは、電力供給部１１０、制御部１２０、再生データ出力部１３０に分類することができる。
【００３６】
このうちの電力供給部１１０は、プラス端子１１４と、マイナス端子１１６、これら端子と基板１４０とを電気的に接続する配線１１８、および電力変換器１１２などから構成されている。再生機器制御装置１００をシガーライタソケット２０に装着した状態で、車のイグニッションキーを差し込み、イグニッションキーを一段階回転させると、アクセサリースイッチがオンになって、車に搭載された各種の機器（カーステレオやラジオなど）にバッテリから電力が供給される。このとき、シガーライタソケットにも電力が供給され、プラス端子１１４およびマイナス端子１１６を介して電力変換器１１２に電力が供給される。電力変換器１１２は、こうして車のバッテリから供給された電力を、再生機器制御装置１００の規格の電力に変換した後、コネクタ１２４を介して再生機器１０に供給する。また、電力変換器１１２は、制御部１２０や再生データ出力部１３０を駆動するための規格の電力に変換して、これらにも電力を供給している。
【００３７】
また、制御部１２０は、マイコン１２２や、コネクタ１２４、ボタン式のスイッチ１２６、スイッチング回路１２８などから構成されている。ここで、マイコン１２２とは、算術論理演算素子（いわゆるＣＰＵ）を中心として、ＲＯＭや、ＲＡＭなどがバスを介してデータをやり取り可能に接続され、ＲＯＭに記憶されているプログラムに基づいて所定の動作を行ういわゆる１チップマイコンである。マイコン１２２には、計時を行うタイマや、周辺の機器とデータのやり取りを行うためのＩ／Ｏ素子なども搭載されている。コネクタ１２４は、前述したように専用ケーブルで再生機器１０に接続されており、マイコン１２２がＩ／Ｏ素子を介して出力した各種の制御信号を、再生機器１０に供給することが可能となっている。スイッチ１２６は、ボタンを押す度に「オン状態」と「オフ状態」とが交互に切り換わるトグルスイッチとなっている。また、スイッチング回路１２８は、電力供給部１１０からコネクタ１２４に電力を供給する電力ラインの間に設けられたパワートランジスタであり、マイコン１２２の制御によって、電力ラインを接続状態と切断状態とに切り換えることが可能となっている。
【００３８】
再生データ出力部１３０は、オーディオモジュール１３２や、トランスミッタモジュール１３４、コイルアンテナ１３６などから構成されている。オーディオモジュール１３２は、コネクタ１２４を介して再生機器１０から供給された再生データを増幅した後、トランスミッタモジュール１３４に供給する機能を有している。また、再生機器１０から受け取った再生データがデジタルデータであった場合には、これをアナログデータに変換する機能も有している。トランスミッタモジュール１３４は、所定周波数で発振する水晶振動子を内蔵している。そして、この周波数で振動する電圧波形に、オーディオモジュール１３２で増幅したデータを用いて振幅変調あるいは周波数変調をかけた後、得られた電圧波形をコイルアンテナ１３６に供給する。すると、コイルアンテナ１３６からは、所定周波数の搬送波に、オーディオモジュール１３２で増幅されたデータが振幅変調あるいは周波数変調された電波が出力される。そして、この電波を車のアンテナで受信して、搬送波に変調されている成分を、チューナを用いて取り出すことにより、再生機器１０から出力された再生データを再生することが可能となる。
【００３９】
図３は、本実施例の再生機器制御装置１００における電力やデータの流れを概念的に示したブロック図である。図３で、ハッチングが施された太い矢印は、電力の流れを表している。また、破線の矢印は再生データの流れを表しており、実線の矢印は、その他のデータの流れを表している。
【００４０】
図示されているように、外部電源からの電力は電力変換器１１２に供給され、ここで規格の電力に変換された後、スイッチング回路１２８およびコネクタ１２４を介して再生機器１０に供給される。また、電力変換器１１２は、マイコン１２２、オーディオモジュール１３２、トランスミッタモジュール１３４にもそれぞれ電力を供給している。
【００４１】
マイコン１２２は、コネクタ１２４を介して、再生機器１０と各種の制御信号をやり取り可能となっている。また、スイッチ１２６や、オーディオモジュール１３２、スイッチング回路１２８とも接続されており、スイッチ１２６の状態を検出したり、再生機器１０からの再生データがオーディオモジュール１３２に供給されたことを検出したり、更には、スイッチング回路１２８を接続状態あるいは切断状態に切り換えることが可能となっている。
【００４２】
また、再生機器１０から出力された再生データは、コネクタ１２４を介してオーディオモジュール１３２に供給され、トランスミッタモジュール１３４を経由して、コイルアンテナ１３６から電波として出力されるようになっている。尚、後述するようにスイッチング回路１２８は、通常、接続状態に設定されていることから、スイッチング回路１２８は搭載を省略して再生機器制御装置１００の構成を簡素化することも可能である。
【００４３】
以上のような構成を有する本実施例の再生機器制御装置１００は、車のイグニッションキーが回されてアクセサリースイッチがオンになり、バッテリから電力が供給されると、再生機器１０への電力の供給を開始するとともに、再生機器１０に対して制御信号を出力することで、再生機器１０の動作を制御する。その結果、携帯した状態で使用されることを前提として再生機器１０に搭載されている各種の携帯用機能の作動を停止させることが可能となり、再生機器１０の操作性が悪化することを回避することが可能となる。以下では、本実施例の再生機器制御装置１００が、再生機器１０の動作を制御するために行う処理について説明する。
【００４４】
Ｃ．再生機器制御処理：
図４は、本実施例の再生機器制御装置１００が、再生機器１０の動作を制御するために行う再生機器制御処理の流れを示すフローチャートである。かかる処理は、電力供給部１１０からの電力の供給を受けて、マイコン１２２が起動すると、マイコン１２２が自動的に実行する処理である。
【００４５】
マイコン１２２は、再生機器制御処理を開始すると先ず初めに、再生機器１０が接続されているか否かを判断する（ステップＳ１００）。かかる判断は、マイコン１２２から再生機器１０に向かって、接続確認用の信号を出力し、再生機器１０からの応答の有無によって判断することもできるし、簡便には、端子間の抵抗によって判断することも可能である。すなわち、再生機器１０が接続されていない場合は、コネクタ１２４の端子は大気に開放された状態となっているから、端子間の抵抗は非常に大きな値となっている。これに対して再生機器１０が接続されている場合は、より小さな抵抗値となるので、これによって再生機器１０が接続されているか否かを判断することも可能である。これに対して、接続確認用の信号を出力して、再生機器１０からの応答によって接続有無を判断することとした場合には、再生機器１０から機種の情報を含んだ応答を出力することで、接続されている再生機器１０の機種に応じて、適切な規格の電力を供給したり、適切な制御信号を出力することが可能となる。
【００４６】
再生機器１０が接続されていないと判断された場合は（ステップＳ１００：ｎｏ）、外部電源がオンになっているか否か、すなわち外部電源から電力が供給されているか否かを判断し（ステップＳ１１６）、外部電源がオンのままであれば（ステップＳ１１６：ｙｅｓ）、再びステップＳ１００に戻って、再生機器１０が接続されているか否かを判断する。こうした判断を繰り返しているうちに、あるいは再生機器制御処理の開始直後に、再生機器１０が接続されていると判断された場合には（ステップＳ１００：ｙｅｓ）、マイコン１２２は、図３に示したスイッチング回路１２８を接続状態に設定して、再生機器１０への電力の供給を開始する（ステップＳ１０２）。
【００４７】
次いで、再生機器制御装置１００の上面側に設けられたボタン式のスイッチ１２６が、オン状態か否かを判断する（ステップＳ１０４）。図２を用いて前述したように、スイッチ１２６は、ボタンを押す度に「オン状態」と「オフ状態」とが切り換わるトグルスイッチとなっており、マイコン１２２は、スイッチ１２６に接続された端子電圧を検出することで、スイッチ１２６が「オン状態」または「オフ状態」の何れの状態であるかを判断することができる。
【００４８】
そして、ボタン式のスイッチ１２６が「オン状態」であると判断された場合は（ステップＳ１０４：ｙｅｓ）、マイコン１２２は再生機器１０に向かって、機能停止信号を出力する（ステップＳ１０６）。ここで、機能停止信号とは、携帯して用いられることを前提として再生機器１０に搭載された各種の携帯用機能の作動を停止させる信号である。本実施例の再生機器１０には、携帯用機能として、次のような機能が搭載されている。
【００４９】
先ず、本実施例の再生機器１０では、操作ボタン１４や操作パネル１６の操作中は、操作が容易となるように、表示画面１２や、操作ボタン１４、操作パネル１６のバックライトが点灯するが、操作されないまま一定時間が経過すると、操作ボタン１４および操作パネル１６のバックライトを、減光あるいは消灯させる機能が搭載されている。また、再生機器１０が蓄えたデータを再生している最中でも、再生データが音声データであった場合には、表示画面１２のバックライトを減光あるいは消灯させる機能が搭載されている。更には、操作ボタン１４や操作パネル１６が操作されず、しかも何れのデータも再生しないまま所定時間が経過した場合には、再生機器１０が休止状態となり、そのままの状態で一定時間が経過すると、自動的に電源をオフにする機能が搭載されている。
【００５０】
マイコン１２２は、コネクタ１２４を介して再生機器１０に機能停止信号を出力することで、これらの携帯用機能が作動しないようにすることができる。尚、機能停止信号は、再生機器１０に搭載されている携帯用機能毎に別個の停止信号を出力しても良いが、一つの機能停止信号を出力するだけで、これら全ての携帯用機能が作動しないようにしてもよい。
【００５１】
次いで、マイコン１２２は、再生機器１０がデータの再生中か否かを判断する（ステップＳ１０８）。かかる判断も、マイコン１２２が再生機器１０と通信することによって判断しても良いが、図３を用いて前述したように、本実施例では、再生機器１０から出力された再生データはオーディオモジュール１３２に供給され、そしてマイコン１２２は、オーディオモジュール１３２に再生データが供給されていることを検出することができるので、再生データが供給されていればデータの再生中と判断することができる。
【００５２】
そして、再生機器１０がデータの再生中ではないと判断された場合は（ステップＳ１０８：ｎｏ）、マイコン１２２から再生機器１０に向かって、再生開始を指示する信号（再生開始信号）を出力する（ステップＳ１１０）。これに対して、何らかのデータを再生中であると判断された場合は（ステップＳ１０８：ｙｅｓ）、再生が中断されることを回避するために、再生開始信号を出力する処理はスキップする。
【００５３】
以上、ボタン式のスイッチ１２６が「オン状態」であると判断された場合（ステップＳ１０４：ｙｅｓ）に行われる処理について説明したが、スイッチ１２６が「オフ状態」と判断された場合は（ステップＳ１０４：ｎｏ）、マイコン１２２は、再生機器１０に向かって、機能作動信号を出力した後（ステップＳ１１２）、再生停止信号を出力する（ステップＳ１１４）。ここで、機能作動信号とは、再生機器１０に搭載された各種の携帯用機能を作動させる信号である。前述したように、本実施例の再生機器１０には、操作ボタン１４や操作パネル１６が操作されないまま一定時間が経過すると、操作ボタン１４などのバックライトを減光あるいは消灯させる機能や、再生機器１０が自動的に休止状態となったり、電源をオフにする機能が搭載されている。機能作動信号とは、再生機器１０に搭載されたこれらの携帯用機能が作動した状態（すなわち、再生機器１０が携帯した状態で使用されているときの状態）に設定する信号である。機能作動信号も、前述した機能停止信号と同様に、マイコン１２２からコネクタ１２４を介して再生機器１０に出力される。尚、機能作動信号も、再生機器１０に搭載されている携帯用機能毎に別個に出力しても良いが、一つの機能作動信号を出力するだけで、これら全ての携帯用機能が作動するようにしてもよい。
【００５４】
また、再生停止信号とは、再生機器１０に対して、データの再生を停止するように指示する信号である。再生機器１０が何らかのデータを再生している場合には、マイコン１２２から再生停止信号を出力することで、再生を停止させることができる。尚、停止のさせ方としては、一時停止状態、すなわち、次に再生を開始したときに、停止した箇所から再生が開始される状態で停止させても良いし、あるいは次の再生開始時には初めから再生される状態で停止させても良い。
【００５５】
以上に説明したように、マイコン１２２は、再生機器制御装置１００の上面に設けられたボタン式のスイッチ１２６が「オン状態」か否かに応じて、それぞれの処理を行った後（ステップＳ１０６ないしステップＳ１１４）、外部電源がオンになっているか否か、すなわち、外部電源から電力が供給されているか否かを判断する（ステップＳ１１６）。そして、外部電源オンの状態が継続している場合には（ステップＳ１１６：ｙｅｓ）、再び先頭に戻って、上述した一連の処理を繰り返す。その結果、再生機器制御装置１００に再生機器１０が接続されている間は、電力供給部１１０から電力が供給され、そして、ボタン式のスイッチ１２６を「オン状態」または「オフ状態」に切り換えることによって、再生機器１０に搭載された携帯用機能の作動を停止させたり、復活させたり、更には、データの再生を開始させたり、停止させたりすることが可能となっている。
【００５６】
そして、こうした処理を繰り返すうちに、外部電源がオフ、すなわち外部電源からの電力の供給が停止されたと判断されたら（ステップＳ１１６：ｎｏ）、図４に示す再生機器制御処理を終了する。
【００５７】
本実施例の再生機器制御装置１００は、外部電源から電力が供給されると、マイコン１２２が起動して、以上に説明した再生機器制御処理を実行する。この結果、再生機器１０に電力を供給するとともに、再生機器制御装置１００の上面に設けられたボタン式のスイッチ１２６を予め「オン状態」に設定しておくことで、再生機器１０に搭載されている各種の携帯用機能（すなわち、再生機器１０が携帯した状態で用いられることを前提として搭載された機能）の作動を停止させることができる。前述したように、これら携帯用機能は、再生機器１０の内蔵バッテリの消耗を抑制するが、その反面、操作性を悪化させる傾向がある。そこで、再生機器制御装置１００から再生機器１０に電力を供給するとともに、再生機器１０に搭載されている各種の携帯用機能の作動を停止させることで、再生機器１０の操作性が悪化することを回避することが可能となる。もちろん、再生機器１０が動作するための電力は再生機器制御装置１００から供給されるので、再生機器１０の内蔵バッテリが消耗することはなく、余剰の電力で内蔵バッテリを充電することも可能である。
【００５８】
また、再生機器制御装置１００に設けられたスイッチ１２６を「オン状態」と「オフ状態」とに切り換えることで、再生機器１０に搭載された携帯用機能の作動を停止することも、作動を開始させることも、容易に切り換えることが可能となる。更には、スイッチ１２６を操作することにより、再生機器１０の操作ボタン１４や操作パネル１６などを直接操作せずとも、データの再生を開始させたり、停止させたりすることが可能となる。再生機器１０は、携帯して用いられることを前提として小型に作られているため、操作ボタン１４や操作パネル１６が小さくなり、操作性が犠牲になりがちであるが、再生機器制御装置１００のスイッチ１２６を操作することで、携帯用機能の作動有無や、データの再生の有無を容易に切り換えることが可能となる。
【００５９】
加えて、スイッチ１２６を予め「オン状態」にしておけば、単に車のイグニッションキーを一段階回して、アクセサリースイッチをオンにするだけで、直ちに再生機器１０に電力の供給を開始して、携帯用機能の作動を停止させるとともに、データの再生を開始することが可能となる。
【００６０】
Ｄ．変形例：
上述した本実施例の再生機器制御装置１００には、種々の変形例が存在している。以下では、これら変形例について、簡単に説明する。
【００６１】
Ｄ−１．第１の変形例：
上述した実施例では、再生機器制御装置１００の上面に設けられたボタン式のスイッチ１２６が「オン状態」に設定されている場合には、再生機器１０に向かって機能停止信号を出力するものとして説明した。これに対して、再生機器１０がデータを再生中と判断された場合に、機能停止信号を出力するものとしても良い。
【００６２】
図５は、第１の変形例における再生機器制御処理の流れを示すフローチャートである。図示した第１の変形例の再生機器制御処理は、図４を用いて前述した再生機器制御処理に対して、スイッチ１２６が「オン状態」か否かではなく、再生機器１０がデータを再生中か否かを判断して、機能停止信号を出力する点が異なっており、その他の部分はほぼ同様である。以下では、かかる相違点を中心として、第１の変形例の再生機器制御処理について簡単に説明する。
【００６３】
第１の変形例の再生機器制御処理においても、先ず初めに、再生機器１０が接続されているか否かを判断し（ステップＳ２００）、再生機器１０が接続されていない場合は（ステップＳ２００：ｎｏ）、外部電源がオン、すなわち外部電源から電力が供給されているか否かを判断する（ステップＳ２１６）。そして、外部電源がオンのままであれば（ステップＳ２１６：ｙｅｓ）、再びステップＳ２００に戻って、再生機器１０が接続されているか否かを判断する。そして、再生機器１０が接続されていると判断されると（ステップＳ２００：ｙｅｓ）、再生機器１０への電力の供給を開始する（ステップＳ２０２）。
【００６４】
次いで、再生機器制御装置１００の上面側に設けられたボタン式のスイッチ１２６が、オン状態か否かを判断する（ステップＳ２０４）。
【００６５】
ボタン式のスイッチ１２６が「オン状態」であった場合は（ステップＳ２０４：ｙｅｓ）、第１の変形例の再生機器制御処理では、再生機器１０がデータの再生中か否かを判断する（ステップＳ２０６）。そして、再生機器１０がデータを再生中であると判断された場合は（ステップＳ２０６：ｙｅｓ）、再生機器１０に搭載されている携帯用機能の作動を停止する信号（機能停止信号）を、マイコン１２２から再生機器１０に向かって出力する（ステップＳ２１０）。これに対して、再生機器１０がデータの再生中ではないと判断された場合は（ステップＳ２０６：ｎｏ）、再生機器１０に向かって再生開始を指示する信号（再生開始信号）を出力する（ステップＳ２０８）。
【００６６】
一方、再生機器制御装置１００の上面に設けられたスイッチ１２６が「オン状態」ではないと判断された場合は（ステップＳ２０４：ｎｏ）、図４を用いて前述した処理と同様に、再生機器１０に向かって、機能作動信号を出力した後（ステップＳ２１２）、再生停止信号を出力する（ステップＳ２１４）。
【００６７】
以上のように、第１の変形例の再生機器制御処理においても、再生機器制御装置１００の上面に設けられたスイッチ１２６の状態に応じて、それぞれの処理を行うが、スイッチ１２６がオンの状態になっている場合には、再生機器１０が再生中の場合にだけ、機能停止信号を出力するようになっている。次いで、外部電源がオンになっているか否かを判断して（ステップＳ２１６）、外部電源オンの状態が継続していれば（ステップＳ２１６：ｙｅｓ）、再び先頭に戻って、上述した一連の処理を繰り返す。
【００６８】
そして、こうした処理を繰り返すうちに、外部電源がオフ、すなわち外部電源からの電力の供給が停止されたと判断されたら（ステップＳ２１６：ｎｏ）、図５に示した第１の変形例の再生機器制御処理を終了する。
【００６９】
以上に説明した第１の変形例の再生機器制御処理においては、再生機器１０がデータの再生中であると判断した場合に、機能停止信号を出力する。こうすることで、少なくともデータの再生中は、表示画面１２などのバックライトが減光あるいは消灯して表示が見にくくなったり、操作性が悪化することを回避することが可能となる。
【００７０】
また、上述した第１の変形例では、再生機器１０がデータを再生していない場合でも（図５のステップＳ２０６：ｎｏ）、スイッチ１２６がオンに設定されていれば（ステップＳ２０４：ｙｅｓ）、再生機器１０に再生開始信号を出力してデータの再生を開始させた後（ステップＳ２０８）、再び、再生機器１０がデータを再生しているか否かを判断するようになっている（ステップＳ２０６）。このため、再生機器１０がデータを再生しているか否かに関わらず、再生機器制御装置１００のスイッチ１２６をオンに設定することで、データの再生を開始させるとともに、再生機器１０に搭載された各種の携帯用機能の作動を停止させることが可能となっている。更に、この状態からスイッチ１２６をオフに切り換えてやれば、データの再生を停止させ、再生機器１０に搭載された携帯用機能を作動させることが可能となっている。
【００７１】
Ｄ−２．第２の変形例：
上述した各種実施例では、機能停止信号を受け付けて携帯用機能の作動を停止させる機能が、再生機器１０に予め搭載されており、再生機器１０は機能停止信号を受け付けると、携帯用機能の作動を停止した状態をそのまま維持するものとして説明した。しかし、全ての再生機器１０に、このような機能が搭載されているとは限らない。このような場合には、再生機器１０に搭載されている他の機能を利用することにより、再生機器制御装置１００から再生機器１０に向かって、実質的に機能停止信号を出力することとしても良い。
【００７２】
図６は、再生機器１０に搭載されている他の機能を利用することによって、実質的に機能停止信号を出力している様子を例示した説明図である。例えば、バックライトを点灯する信号（点灯命令信号）を受け付ける機能が再生機器１０に搭載されている場合は、図６（ａ）に例示したように、バックライトを点灯させる信号を、再生機器制御装置１００から再生機器１０に向かって、一定周期で出力しても良い。
【００７３】
前述したように、携帯して用いられることを前提とした再生機器１０には、内蔵バッテリの消耗を抑制するために、バックライトの点灯から所定時間が経過すると自動的にバックライトを減光あるいは消灯させる機能が搭載されているが、バックライトを点灯させる信号（点灯命令信号）を、所定時間よりも短い時間間隔で再生機器制御装置１００から供給してやれば、常に、バックライトを点灯させた状態で保っておくことができる。換言すれば、点灯命令信号を周期的に出力することで、再生機器１０に搭載された携帯用機能（ここでは、一定時間が経過するとバックライトを減光あるいは消灯させる機能）の作動を、実質的に停止させることが可能となる。
【００７４】
もちろん、再生機器１０に搭載された他の携帯用機能についても、一定周期で信号を出力することで、実質的に作動を停止させることが可能である。尚、多くの再生機器１０では、搭載されている各種の携帯用機能は互いに連動していることが通常であり、例えば、バックライトが点灯している間は、自動的に休止状態になったり、電源オフになる機能も作動しない場合が多い。このため、例えば、バックライトを点灯させる信号を一定周期で出力して、バックライトを減光あるいは消灯させる機能の作動を停止させることで、その他の携帯用機能の作動も停止させることが可能である。
【００７５】
あるいは、再生機器１０の中には、外部から電力の供給が開始されると、一定時間が経過するまでは、バックライトが点灯するようになっているものも多く存在する。このような場合には、一定時間よりも短い時間間隔で、電力の供給を一時的に中止することで、常に、バックライトを点灯させた状態で保っておくことができる。図６（ｂ）には、電力の供給を、短時間だけ一定の周期で中止している様子が例示されている。図３に示したように、本実施例の再生機器制御装置１００には、電力供給部１１０とコネクタ１２４との間にスイッチング回路１２８が設けられている。従って、マイコン１２２の制御によってスイッチング回路１２８を「接続状態」と「切断状態」とに切り換えることで、図６（ｂ）に示すような態様で電力を供給することも容易に実現可能である。そして、このような態様で電力を供給することで、再生機器１０のバックライトを常に点灯させた状態、すなわち、一定時間が経過するとバックライトを減光あるいは消灯させる機能の作動を、実質的に停止させることが可能となる。
【００７６】
Ｄ−３．第３の変形例：
上述した各種の実施例の再生機器制御装置１００は、再生機器１０から受け取った再生データを電波として出力しており、自らは、再生データから音声または映像を再生しないものとして説明した。しかし、再生機器１０から受け取った再生データに基づいて、再生機器制御装置が音声（あるいは映像）として再生することも可能である。
【００７７】
図７は、第３の変形例の再生機器制御装置２００を例示した説明図である。図示した第３の変形例では、再生機器制御装置２００に再生機器１０を直接装着可能となっている。そして、再生機器制御装置２００の電源コードを商用電源のコンセントに差し込んで、前面側に設けられた電源スイッチ２０２をオンにすると、再生機器制御装置２００がデータを受け取って再生可能な状態となる。また、再生機器制御装置２００にも、電力供給部が搭載されており、商用電源の電力を規格の電力に変換して、装着されている再生機器１０に供給する。その後、再生機器１０に搭載されている各種の携帯用機能の作動を停止させるべく、機能停止信号を出力する。
【００７８】
こうすれば、再生機器１０の表示画面１２や、操作ボタン１４、操作パネル１６は常に点灯した状態に保っておくことができるので、再生機器１０を容易に操作して、再生機器制御装置２００から音声（または映像）を出力することが可能となる。
【００７９】
もちろん、再生機器制御装置２００に操作ボタンなどを搭載しておき、再生機器制御装置２００から再生機器１０を操作することも可能である。再生機器制御装置２００は、再生機器１０よりも大きな操作ボタンを搭載することができるから、再生機器制御装置２００から操作することで、より容易に再生機器１０を操作することができる。また、このとき、再生機器１０に設けられた操作ボタン１４や操作パネル１６の操作を無効にする信号を、再生機器制御装置２００から再生機器１０に出力しておいても良い。こうすれば、再生機器制御装置２００に設けられた操作ボタンからの操作と、再生機器１０の操作ボタン１４などの操作とで、互いに反対の操作が行われて、再生機器１０の動作に異常を来すことを、未然に回避することが可能となる。
【００８０】
Ｄ−４．第４の変形例：
上述した各種の実施例では、再生機器１０は再生データを外部に出力するものとして説明した。しかし、必ずしも再生機器１０が再生データを外部に出力する必要はなく、再生機器１０自身がデータの再生を行ってもよい。
【００８１】
図８は、第４の変形例の再生機器制御装置３００を例示した説明図である。図示した第４の変形例では、再生機器制御装置３００と再生機器１０とは専用ケーブルで接続されており、再生機器制御装置３００もバッテリ３０４によって駆動されている。第４の変形例の再生機器制御装置３００は、再生機器１０よりは大きいものの、ポケットやカバンに入れたり、あるいはベルトに装着するなどして、携帯することが可能となっている。
【００８２】
第４の変形例の再生機器制御装置３００では、充電済みのバッテリ３０４を装着して、専用ケーブルで再生機器制御装置３００と再生機器１０とを接続し、電源スイッチ３０２をオンにすると、バッテリ３０４から再生機器１０に電力の供給が開始され、次いで、再生機器制御装置３００から機能停止信号が出力されるようになっている。こうすれば、再生機器１０の表示画面１２や、操作ボタン１４、操作パネル１６のバックライトを点灯させた状態としておくことができるので、再生機器１０の操作性が悪化することがない。また、再生機器１０が動作する電力は、再生機器制御装置３００のバッテリ３０４から供給されるので、再生機器１０の内蔵バッテリが消耗することもない。もちろん、再生機器制御装置３００のバッテリ３０４も何時までも電力を供給し続けることはできないが、再生機器１０の内蔵バッテリよりも遙かに大きな容量を容易に確保することができるので、かなりの長い時間、再生機器１０を作動させておくことができる。
【００８３】
尚、第４の変形例の再生機器制御装置３００では、再生機器１０から再生データを受け取らないので、再生機器１０がデータを再生しているか否かを、再生データが供給されているか否かに基づいて判断することはできない。しかし、データの再生中であることを示す信号を再生機器１０から受け取れば、再生機器１０がデータを再生していることを確認して、機能停止信号を出力することも可能である。
【００８４】
また、再生機器制御装置３００のバッテリ３０４が空になった場合には、再生機器１０の駆動電源を、バッテリ３０４から再生機器１０の内蔵バッテリに切り換えるようにしてもよい。そして、この場合は、再生機器制御装置３００から再生機器１０に機能作動信号を出力することにより、再生機器１０に搭載された各種の携帯用機能の作動を再開させるようにしてもよい。こうすれば、再生機器１０でデータを再生している最中に再生機器制御装置３００のバッテリ３０４が空になった場合でも、電源を内蔵バッテリに切り換えて、データの再生を継続することができる。そして、この状態では、再生機器１０の表示画面１２や操作ボタン１４などのバックライトが減光あるいは消灯するなど、再生機器１０に搭載された各種の携帯用機能が作動していることから、再生機器１０の内蔵バッテリの消耗を抑制して、長い時間、データを再生することが可能となる。更には、再生機器１０に搭載された各種の携帯用機能を作動させることで、再生機器制御装置３００のバッテリ３０４が空になっていることを、ユーザーが容易に認識することも可能となる。
【００８５】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００８６】
例えば、上述した各種の実施例では、再生機器制御装置は、再生機器が接続されていることを確認した後、電力の供給を開始するものとして説明した。しかし、再生機器が接続されていない場合は、電力を供給しようとしても供給できないだけなので、再生機器１０が接続されていることを確認することなく、直ちに電力の供給を開始することとしてもよい。
【図面の簡単な説明】
【００８７】
【図１】本実施例の再生機器制御装置の概要を示した説明図である。
【図２】本実施例の再生機器制御装置の構造を示した断面図である。
【図３】本実施例の再生機器制御装置における電力やデータの流れを概念的に示したブロック図である。
【図４】本実施例の再生機器制御装置が再生機器の動作を制御するために行う再生機器制御処理の流れを示すフローチャートである。
【図５】第１の変形例における再生機器制御処理の流れを示すフローチャートである。
【図６】第２の変形例における再生機器制御装置が、再生機器に搭載されている他の機能を利用して実質的に機能停止信号を出力する様子を例示した説明図である。
【図７】第３の変形例の再生機器制御装置を例示した説明図である。
【図８】第４の変形例の再生機器制御装置を例示した説明図である。
【符号の説明】
【００８８】
１０…再生機器、    １２…表示画面、    １４…操作ボタン、
１６…操作パネル、    ２０…シガーライタソケット、
１００…再生機器制御装置、  １１０…電力供給部、  １１２…電力変換器、
１２０…制御部、  １２２…マイコン、  １２４…コネクタ、  １２６…スイッチ、
１２８…スイッチング回路、  １３０…再生データ出力部、
１３２…オーディオモジュール、  １３４…トランスミッタモジュール、
１３６…コイルアンテナ、  １４０…基板、  ２００…再生機器制御装置、
２０２…電源スイッチ、  ３００…再生機器制御装置、  ３０２…電源スイッチ、
３０４…バッテリ
【図１】
2008204501.tif 000003
【図２】
2008204501.tif 000004
【図３】
2008204501.tif 000005
【図４】
2008204501.tif 000006
【図５】
2008204501.tif 000007
【図６】
2008204501.tif 000008
【図７】
2008204501.tif 000009
【図８】
2008204501.tif 000010